(57)【特許請求の範囲】
【請求項１】
ファスト軸において大きな広がり角を有しており、スロー軸において狭い広がり角を有する光を出射する複数の光源と、前記ファスト軸において前記複数の光源から出射される光を平行光化する第１屈折光学素子と、前記スロー軸において前記複数の光源から出射される光を平行光化する第２屈折光学素子とを備えた光源装置であって、
前記光源は、前記ファスト軸において、前記スロー軸よりも狭い幅を有し、大きな広がり角を有する光を出射するエミッタを有し、
前記複数の光源は、
Ｎ×ｙｌｆ×θｌｆ≒ｙｌｓ×θｌｓ
Ｎ：ファスト軸に沿って並べられる光源の数
ｙｌｆ：ファスト軸におけるエミッタの幅
θｌｆ：ファスト軸においてエミッタから出射される光の広がり角
ｙｌｓ：スロー軸におけるエミッタの幅
θｌｓ：スロー軸においてエミッタから出射される光の広がり角
の関係が満たされるように、前記ファスト軸に沿って並べられることを特徴とする光源装置。
【請求項２】
前記ファスト軸に沿って並べられる光源の数Ｎは、前記スロー軸に沿って並べられる光源Ｍの数よりも多く、
Ｎ×ｙｌｆ×θｌｆ≒Ｍ×ｙｌｓ×θｌｓ
の関係が満たされるように、前記複数の光源が配置されることを特徴とする請求項１に記載の光源装置。
【請求項３】
前記複数の光源から出射される光を所定方向に向けて反射するミラー群を備え、
前記ミラー群は、前記ファスト軸において前記複数の光源から出射される光束の間隔が狭まるように配置されることを特徴とする請求項１に記載の光源装置。
【請求項４】
前記ミラー群は、前記複数の光源から出射される光の光軸方向において各ミラーがシフトするように配置されることを特徴とする請求項３に記載の光源装置。
【請求項５】
複数の光源ユニットを備え、
前記複数の光源ユニットのそれぞれは、前記複数の光源と、前記第１屈折光学素子と、前記第２屈折光学素子と、前記ミラー群とを有しており、
前記複数の光源ユニットは、互いに対向するように配置されることを特徴とする請求項３に記載の光源装置。
【請求項６】
請求項１に記載の光源装置と、前記光源装置から出射された光を変調する光変調素子と、前記光変調素子から出射された光を投写面上に投写する投写ユニットとを備える投写型映像表示装置。
【発明の詳細な説明】
【技術分野】
【０００１】
本発明は、ファスト軸において大きな広がり角を有しており、スロー軸において狭い広がり角を有する光を出射する複数の光源を備える光源装置及び投写型映像表示装置に関する。
【背景技術】
【０００２】
従来、２つの軸（ファスト軸及びスロー軸）を有する光を出射する光源（例えば、ＬＤ；Ｌａｓｅｒ  Ｄｉｏｄｅ）が知られている。光源から出射される光は、ファスト軸において大きな広がり角を有しており、スロー軸において狭い広がり角を有している。
【０００３】
このような光源をアレイ状に並べることによって、複数の光源を有する光源装置から出射される光の光量を増大することも提案されている。例えば、光源装置において、複数の光源は、スロー軸に沿って並べられる（例えば、特許文献１）。
【先行技術文献】
【特許文献】
【０００４】
【特許文献１】特開２００６−３３７９２３号公報
【発明の概要】
【発明が解決しようとする課題】
【０００５】
しかしながら、上述した技術では、エタンデューについて考慮されていない。具体的には、スロー軸におけるエタンデューがファスト軸におけるエタンデューよりも大きい。このように、２つの軸におけるエタンデューのアンバランスが生じると、エタンデューが大きい軸方向のサイズに合わせて、光源の後段に設けられる光学系を設計する必要がある。従って、Ｆナンバーが小さい光学系が必要となり、レンズの大型化やコストアップを招来させることになる。
【０００６】
そこで、本発明は、上述した課題を解決するためになされたものであり、ファスト軸及びスロー軸におけるエタンデューのアンバランスを解消することを可能とする光源装置及び投写型映像表示装置を提供することを目的とする。
【課題を解決するための手段】
【０００７】
第１の特徴に係る光源装置は、ファスト軸において大きな広がり角を有しており、スロー軸において狭い広がり角を有する光を出射する複数の光源（光源２１０）と、前記ファスト軸において前記複数の光源から出射される光を平行光化する第１屈折光学素子（第１屈折光学素子２２０）と、前記スロー軸において前記複数の光源から出射される光を平行光化する第２屈折光学素子（第２屈折光学素子２３０）とを備える。前記光源は、前記ファスト軸において、前記スロー軸よりも狭い幅を有し、大きな広がり角を有する光を出射するエミッタを有し、前記複数の光源は、Ｎ×ｙｌｆ×θｌｆ≒ｙｌｓ×θｌｓ
Ｎ：ファスト軸に沿って並べられる光源の数
ｙｌｆ：ファスト軸におけるエミッタの幅
θｌｆ：ファスト軸においてエミッタから出射される光の広がり角
ｙｌｓ：スロー軸におけるエミッタの幅
θｌｓ：スロー軸においてエミッタから出射される光の広がり角
の関係が満たされるように、前記ファスト軸に沿って並べられる。
【０００８】
第１の特徴において、前記ファスト軸に沿って並べられる光源の数は、前記スロー軸に
沿って並べられる光源Ｍの数よりも多く、
Ｎ×ｙｌｆ×θｌｆ≒Ｍ×ｙｌｓ×θｌｓ
の関係が満たされるように、前記複数の光源が配置される。
【０００９】
第１の特徴において、光源装置は、前記複数の光源から出射される光を所定方向に向けて反射するミラー群（ミラー２４０）を備える。前記ミラー群は、前記ファスト軸において前記複数の光源から出射される光束の間隔が狭まるように配置される。
【００１０】
第１の特徴において、前記ミラー群は、前記複数の光源から出射される光の光軸方向において各ミラーがシフトするように配置される。
【００１１】
第１の特徴において、光源装置は、複数の光源ユニット（光源ユニット２００Ｐ及び光源ユニット２００Ｑ）を備える。前記複数の光源ユニットのそれぞれは、前記複数の光源と、前記第１屈折光学素子と、前記第２屈折光学素子と、前記ミラー群とを有する。前記複数の光源ユニットは、互いに対向するように配置される。
【００１２】
第２の特徴に係る投写型映像表示装置は、第１の特徴に係る光源装置と、前記光源装置から出射された光を変調する光変調素子と、前記光変調素子から出射された光を投写面上に投写する投写ユニットとを備える。
【発明の効果】
【００１３】
本発明によれば、ファスト軸及びスロー軸におけるエタンデューのアンバランスを解消することを可能とする光源装置及び投写型映像表示装置を提供することができる。
【図面の簡単な説明】
【００１４】
【図１】図１は、第１実施形態に係る光源２１０を示す図である。
【図２】図２は、第１実施形態に係るファスト軸におけるエタンデューを示す図である。
【図３】図３は、第１実施形態に係るスロー軸におけるエタンデューを示す図である。
【図４】図４は、第１実施形態に係る光源ユニット２００を示す図である。
【図５】図５は、変更例１に係る光源ユニット２００を示す図である。
【図６】図６は、変更例１に係る光源ユニット２００を示す図である。
【図７】図７は、変更例２に係る光源ユニット２００を示す図である。
【図８】図８は、変更例２に係る光源ユニット２００を示す図である。
【図９】図９は、変更例３に係る光源装置を示す図である。
【図１０】図１０は、変更例３に係る光源装置を示す図である。
【図１１】図１１は、第１実施形態に係る投写型映像表示装置１００を示す図である。
【発明を実施するための形態】
【００１５】
以下において、本発明の実施形態に係る光源装置及び投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る光源装置は、ファスト軸において大きな広がり角を有しており、スロー軸において狭い広がり角を有する光を出射する複数の光源と、前記ファスト軸において前記複数の光源から出射される光を平行光化する第１屈折光学素子と、前記スロー軸において前記複数の光源から出射される光を平行光化する第２屈折光学素子とを備える。前記複数の光源は、前記ファスト軸に沿って並べられる。
【００１８】
実施形態では、ファスト軸及びスロー軸におけるエタンデューに着目して、複数の光源は、少なくともファスト軸に沿って並べられる。これによって、ファスト軸及びスロー軸におけるエタンデューのアンバランスが解消する。従って、Ｆナンバーが小さいレンズを用いる必要がなく、複数の光源から出射される光の利用効率が向上する。
【００１９】
［第１実施形態］
（光源）
以下において、第１実施形態に係る光源について説明する。図１は、第１実施形態に係る光源２１０を示す図である。
【００２０】
図１に示すように、光源２１０は、エミッタ２１１を有する。エミッタ２１１は、ファスト軸においてスロー軸よりも大きな広がり角を有する光を出射する。言い換えると、エミッタ２１１は、スロー軸においてファスト軸よりも狭い広がり角を有する光を出射する。エミッタ２１１は、ファスト軸においてスロー軸よりも狭い幅を有する。言い換えると、エミッタ２１１は、スロー軸においてファスト軸よりも大きな幅を有する。
【００２１】
エタンデューは、一般的に、π・Ａｓｉｎ２θで表され、共役関係において保存される。すなわち、物面におけるエタンデューと像面におけるエタンデューとは等しい。但し、Ａは、エミッタの面積であり、θは、エミッタから出射される光の広がり角である。
【００２２】
ここで、ファスト軸及びスロー軸を分離して考えるために、一次元的なエタンデューを導入すると、一次元的なエタンデューは、√π・ｙｓｉｎθで表される。このような一次元的なエタンデューも、共役関係において保存される。但し、ｙは、エミッタの幅である。
【００２３】
以下においては、説明を簡略化するために、ｓｉｎｕ＝ｕと近似することによって、エミッタの幅ｙ及びエミッタから出射される光の広がり角ｕについて、以下に示す関係（式１）を導き出すことができる。ｙ及びｕの積は、ラグランジュの不変量と呼ばれ、共役関係において略保存される。
【数１】
0005914808.tif 000002
【００２４】
この関係について、ファスト軸及びスロー軸に分けて考えると、以下のように表すことができる。
【００２５】
ファスト軸については、図２に示すように、以下の関係（式２）が成り立つ。
【数２】
0005914808.tif 000003
【００２６】
スロー軸については、図３に示すように、以下の関係（式３）が成り立つ。
【数３】
0005914808.tif 000004
【００２７】
ここで、光源２１０として、一般的な半導体レーザを用いる場合には、ファスト軸におけるエタンデューは、スロー軸におけるエタンデューに比べて非常に小さい。すなわち、以下の関係（式４）が満たされる。
【数４】
0005914808.tif 000005
【００２８】
ｙｐｆ及びｙｐｓは、サイズのオーダーとして略同一のサイズを有するため、光源２１０から出射される光を光変調素子に照射する場合には、（式２）〜（式４）の関係から、ファスト軸において光変調素子に入射する集光角θｐｆは、スロー軸において光変調素子に入射する集光角θｐｓに比べて非常に小さい。このように、ファスト軸及びスロー軸においてエタンデューのアンバランスが生じている場合には、光変調素子から出射される光の全てを投写レンズに取り込むために、広がり角が大きいθｌｓに対応するＦナンバーを有する投写レンズを用いる必要がある。このように、θｌｓに対応するＦナンバーを有する投写レンズを用いると、広がり角が小さいθｌｆに対して、投写レンズのサイズが余剰になってしまう。
【００２９】
このような課題に対して、第１実施形態では、複数の光源２１０は、ファスト軸に沿って並べられる。詳細には、Ｎ×ｙｌｆ×θｌｆ≒ｙｌｓ×θｌｓ（但し、Ｎは、ファスト軸に沿って並べられる光源２１０の数）の関係が満たされるように、複数の光源２１０が配置される。
【００３０】
或いは、ファスト軸に沿って並べられる光源２１０の数は、スロー軸に沿って並べられる光源２１０の数よりも多い。詳細には、Ｎ×ｙｌｆ×θｌｆ≒Ｍ×ｙｌｓ×θｌｓ（但し、Ｎは、ファスト軸に沿って並べられる光源２１０の数、Ｍは、スロー軸に沿って並べられる光源２１０の数）の関係が満たされるように、複数の光源２１０が配置される。
【００３１】
これによって、ファスト軸及びスロー軸においてエタンデューのアンバランスが取れる。すなわち、レンズの大型化やコストアップが抑制される。
【００３２】
（光源装置）
以下において、第１実施形態に係る光源装置について説明する。図４は、第１実施形態に係る光源ユニット２００を示す図である。第１実施形態では、光源装置が１つの光源ユニット２００によって構成されるケースについて例示する。
【００３３】
図４に示すように、光源ユニット２００は、複数の光源２１０と、複数の第１屈折光学素子２２０と、複数の第２屈折光学素子２３０と、複数のミラー２４０とを有する。
【００３４】
複数の光源２１０は、少なくともファスト軸に沿って並んでいる。複数の光源２１０は、スロー軸に沿って並んでいてもよい。但し、ファスト軸に沿って並べられる光源２１０の数は、スロー軸に沿って並べられる光源２１０の数よりも多い。
【００３５】
複数の第１屈折光学素子２２０は、ファスト軸において複数の光源２１０から出射される光を平行光化する。複数の第１屈折光学素子２２０は、互いに別体として設けられていてもよく、一体として設けられていてもよい。
【００３６】
複数の第２屈折光学素子２３０は、スロー軸において複数の光源２１０から出射される光を平行光化する。複数の第２屈折光学素子２３０は、互いに別体として設けられていてもよく、一体として設けられていてもよい。
【００３７】
複数のミラー２４０は、複数の光源２１０から出射される光を所定方向に向けて反射するミラー群を構成する。複数のミラー２４０は、ファスト軸において複数の光源２１０から出射される光束の間隔が狭まるように配置される。言い換えると、複数のミラー２４０で反射される光束の幅Ａ（ファスト軸における幅）は、複数の光源２１０から出射される光束の幅Ｂ（ファスト軸における幅）よりも狭まる。詳細には、複数のミラー２４０は、複数の光源２１０から出射される光の光軸方向において各ミラー２４０がシフトするように配置される。
【００３８】
このように、ファスト軸において複数の光源２１０から出射される光束の間隔が狭まるため、ファスト軸においてエタンデューの増大が抑制される。
【００３９】
（作用及び効果）
第１実施形態では、ファスト軸及びスロー軸におけるエタンデューに着目して、複数の光源２１０は、少なくともファスト軸に沿って並べられる。これによって、ファスト軸及びスロー軸におけるエタンデューのアンバランスが解消する。従って、大きな口径のレンズを用いる必要がなく、複数の光源２１０から出射される光の利用効率が向上する。
【００４０】
第１実施形態では、複数のミラー２４０は、ファスト軸において複数の光源２１０から出射される光束の間隔が狭まるように配置されるように配置される。これによって、ファスト軸においてエタンデューの増大が抑制される。すなわち、複数のミラー２４０の配置は、ファスト軸及びスロー軸におけるエタンデューのアンバランスの解消に寄与する。
【００４１】
[変更例１]
以下において、第１実施形態の変更例１について説明する。以下においては、第１実施形態に対する相違点について主として説明する。
【００４２】
変更例１では、光源ユニット２００は、図５に示すように、ファスト軸に沿って４つの光源２１０を有する。一方で、各光源２１０は、図６に示すように、スロー軸に沿って８つのエミッタ２１１を有するバータイプの半導体レーザである。ここでは、１つの光源２１０は、スロー軸に沿って複数のエミッタ２１１を有する。
【００４３】
変更例１では、上述した第１屈折光学素子２２０及び第２屈折光学素子２３０は、各エミッタ２１１から出射される光を平行光化するレンズがスロー軸において一体として設けられた構成（レンズアレイ）を有する。また、第１屈折光学素子２２０は、第２屈折光学素子２３０に対して複数の光源２１０側に設けられる。
【００４４】
変更例１においても、複数のミラー２４０で反射される光束の幅Ａ（ファスト軸における幅）は、複数の光源２１０から出射される光束の幅Ｃ（スロー軸における幅）と略同様である。すなわち、ファスト軸及びスロー軸におけるエタンデューが揃うように、複数の光源２１０から出射される光が調整される。
【００４５】
[変更例２]
以下において、第１実施形態の変更例２について説明する。以下においては、第１実施形態に対する相違点について主として説明する。
【００４６】
変更例２では、光源ユニット２００は、図７に示すように、ファスト軸に沿って４つの光源２１０を有する。一方で、各光源２１０は、図８に示すように、スロー軸に沿って８つのエミッタ２１１を有する。
【００４７】
ここでは、１つの光源２１０は、スロー軸に沿って複数のエミッタ２１１を有する。言い換えると、複数のエミッタ２１１は、１つのヒートシンク上に設けられる。
【００４８】
変更例２では、上述した第１屈折光学素子２２０及び第２屈折光学素子２３０は、各エミッタ２１１から出射される光を平行光化するレンズがスロー軸において一体として設けられた構成（レンズアレイ）を有する。また、第２屈折光学素子２３０は、第１屈折光学素子２２０に対して複数の光源２１０側に設けられる。
【００４９】
変更例２においても、複数のミラー２４０で反射される光束の幅Ａ（ファスト軸における幅）は、複数の光源２１０から出射される光束の幅Ｃ（スロー軸における幅）と略同様である。すなわち、ファスト軸及びスロー軸におけるエタンデューが揃うように、複数の光源２１０から出射される光が調整される。
【００５０】
[変更例３]
以下において、第１実施形態の変更例３について説明する。以下においては、第１実施形態に対する相違点について主として説明する。
【００５１】
変更例３では、図９に示すように、光源装置は、複数の光源ユニット２００（光源ユニット２００Ｐ及び光源ユニット２００Ｑ）を有する。
【００５２】
光源ユニット２００Ｐは、複数の光源２１０Ｐと、複数の第１屈折光学素子２２０Ｐと、複数の第２屈折光学素子２３０Ｐと、複数のミラー２４０Ｐとを有する。光源ユニット２００Ｑは、複数の光源２１０Ｑと、複数の第１屈折光学素子２２０Ｑと、複数の第２屈折光学素子２３０Ｑと、複数のミラー２４０Ｑとを有する。
【００５３】
ここで、光源２１０Ｐ及び光源２１０Ｑは、光源２１０と同様の構成を有する。第１屈折光学素子２２０Ｐ及び第１屈折光学素子２２０Ｑは、第１屈折光学素子２２０と同様の構成を有する。第２屈折光学素子２３０Ｐ及び第２屈折光学素子２３０Ｑは、第２屈折光学素子２３０と同様の構成を有する。ミラー２４０Ｐ及びミラー２４０Ｑは、ミラー２４０と同様の構成を有する。
【００５４】
変更例３において、光源ユニット２００Ｐ及び光源ユニット２００Ｑは、図９に示すように、互いに対向するように配置される。光源ユニット２００Ｐ及び光源ユニット２００Ｑは、図１０に示すように、スロー軸において互いにシフトした位置に配置される。
【００５５】
変更例３においては、ファスト軸及びスロー軸において光源装置（ここでは、光源ユニット２００Ｐ及び光源ユニット２００Ｑ）から出射される光束の幅（全体の幅）に応じて、ファスト軸において複数の光源２１０から出射される光束の幅を狭める量が決定されることに留意すべきである。すなわち、ファスト軸及びスロー軸において光源装置（ここでは、光源ユニット２００Ｐ及び光源ユニット２００Ｑ）から出射される光束の幅（全体の幅）に応じて、複数のミラー２４０（ミラー２４０Ｐ及びミラー２４０Ｑ）のシフト量が決定される。
【００５６】
[変更例４]
以下において、第１実施形態の変更例４について説明する。以下においては、第１実施形態に対する相違点について主として説明する。
【００５７】
変更例４では、上述した光源装置を用いる投写型映像表示装置について説明する。図１１は、変更例４に係る投写型映像表示装置１００を示す図である。なお、第１実施形態では、基準映像光として、赤成分光Ｒ、緑成分光Ｇ及び青成分光Ｂを用いるケースについて例示する。
【００５８】
図１に示すように、第１に、投写型映像表示装置１００は、複数の光源ユニット２００（光源ユニット２００Ｒ、光源ユニット２００Ｇ及び光源ユニット２００Ｂ）と、ダイクロイックミラー１０と、ダイクロイックミラー２０と、ロッドインテグレータ３０と、ＤＭＤ４０と、投写ユニット５０とを有する。
【００５９】
光源ユニット２００Ｒは、赤成分光Ｒを出射する。同様に、光源ユニット２００Ｇは、緑成分光Ｇを出射し、光源ユニット２００Ｂは、青成分光Ｂを出射する。
【００６０】
ダイクロイックミラー１０は、赤成分光Ｒを透過して、緑成分光Ｇを反射する。ダイクロイックミラー２０は、赤成分光Ｒ及び緑成分光Ｇを透過して、青成分光Ｂを反射する。
【００６１】
ロッドインテグレータ３０は、ガラスなどの透明部材によって構成される中実のロッドである。ロッドインテグレータ３０は、光源ユニット２００から出射される光を均一化する。なお、ロッドインテグレータ３０は、内壁がミラー面によって構成される中空のロッドであってもよい。
【００６２】
ＤＭＤ４０は、光源ユニット２００から出射される光を変調する。詳細には、ＤＭＤ４０は、複数の微小ミラーによって構成されており、複数の微小ミラーは可動式である。各微小ミラーは、基本的に１画素に相当する。ＤＭＤ４０は、各微小ミラーの角度を変更することによって、投写ユニット５０側に光を反射するか否かを切り替える。
【００６３】
第１実施形態では、ＤＭＤ４０として、ＤＭＤ４０Ｒ、ＤＭＤ４０Ｇ及びＤＭＤ４０Ｂが設けられる。ＤＭＤ４０Ｒは、赤映像信号Ｒに基づいて赤成分光Ｒを変調する。ＤＭＤ４０Ｇは、緑映像信号Ｇに基づいて緑成分光Ｇを変調する。ＤＭＤ４０Ｂは、青映像信号Ｂに基づいて青成分光Ｂを変調する。
【００６４】
投写ユニット５０は、ＤＭＤ４０によって変調された映像光を投写面上に投写する。
【００６５】
第２に、投写型映像表示装置１００は、必要なレンズ群及びミラー群を有する。レンズ群としては、レンズ１１４〜レンズ１１６が設けられており、ミラー群としては、ミラー１２５が設けられる。
【００６６】
レンズ１１４は、光源ユニット２００のそれぞれから出射される光をロッドインテグレータ３０の光入射面に集光する集光レンズである。レンズ１１５及びレンズ１１６は、ロッドインテグレータ３０から出射される光を各ＤＭＤ４０上に略結像するリレーレンズである。ミラー１２５は、各色成分光を反射する反射ミラーである。
【００６７】
第３に、投写型映像表示装置１００は、必要なプリズム群を有する。プリズム群として、プリズム２１０、プリズム２２０、プリズム２３０、プリズム２４０及びプリズム２５０が設けられる。
【００６８】
プリズム２１０は、透光性部材によって構成されており、面２１１及び面２１２を有する。プリズム２１０（面２１１）とプリズム２５０（面２５１）との間にはエアギャップが設けられており、プリズム２１０に入射した光が面２１１に入射する角度（入射角）が全反射角よりも大きいため、プリズム２１０に入射した光は面２１１で反射される。一方で、プリズム２１０（面２１２）とプリズム２２０（面２２１）との間にはエアギャップが設けられるが、面２１１で反射された光が面２１２に入射する角度（入射角）が全反射角よりも小さいため、面２１１で反射された光は面２１２を透過する。
【００６９】
プリズム２２０は、透光性部材によって構成されており、面２２１及び面２２２を有する。プリズム２１０（面２１２）とプリズム２２０（面２２１）との間にはエアギャップが設けられており、面２２２で最初に反射された青成分光Ｂ及びＤＭＤ４０Ｂから出射された青成分光Ｂが面２２１に入射する角度（入射角）が全反射角よりも大きいため、面２２２で最初に反射された青成分光Ｂ及びＤＭＤ４０Ｂから出射された青成分光Ｂは面２２１で反射される。一方で、面２２１で反射された後に面２２２で２回目に反射された青成分光Ｂが面２２１に入射する角度（入射角）が全反射角よりも小さいため、面２２１で反射された後に面２２２で２回目に反射された青成分光Ｂは面２２１を透過する。
【００７０】
面２２２は、赤成分光Ｒ及び緑成分光Ｇを透過して、青成分光Ｂを反射するダイクロイックミラー面である。従って、面２１１で反射された光のうち、赤成分光Ｒ及び緑成分光Ｇは面２２２を透過し、青成分光Ｂは面２２２で反射される。面２２１で反射された青成分光Ｂは面２２２で反射される。
【００７１】
プリズム２３０は、透光性部材によって構成されており、面２３１及び面２３２を有する。プリズム２２０（面２２２）とプリズム２３０（面２３１）との間にはエアギャップが設けられており、面２３１を透過して面２３２で反射された赤成分光Ｒ及びＤＭＤ４０Ｒから出射された赤成分光Ｒが再び面２３１に入射する角度（入射角）が全反射角よりも大きいため、面２３１を透過して面２３２で反射された赤成分光Ｒ及びＤＭＤ４０Ｒから出射された赤成分光Ｒは面２３１で反射される。一方で、ＤＭＤ４０Ｒから出射されて面２３１で反射された後に面２３２で反射された赤成分光Ｒが再び面２３１に入射する角度（入射角）が全反射角よりも小さいため、ＤＭＤ４０Ｒから出射されて面２３１で反射された後に面２３２で反射された赤成分光Ｒは面２３１を透過する。
【００７２】
面２３２は、緑成分光Ｇを透過して、赤成分光Ｒを反射するダイクロイックミラー面である。従って、面２３１を透過した光のうち、緑成分光Ｇは面２３２を透過し、赤成分光Ｒは面２３２で反射される。面２３１で反射された赤成分光Ｒは面２３２で反射される。ＤＭＤ４０Ｇから出射された緑成分光Ｇは面２３２を透過する。
【００７３】
プリズム２４０は、透光性部材によって構成されており、面２４１を有する。面２４１は、緑成分光Ｇを透過するように構成されている。なお、ＤＭＤ４０Ｇへ入射する緑成分光Ｇ及びＤＭＤ４０Ｇから出射された緑成分光Ｇは面２４１を透過する。
【００７４】
プリズム２５０は、透光性部材によって構成されており、面２５１を有する。
【００７５】
言い換えると、青成分光Ｂは、（１）面２１１で反射されて、（２）面２２２で反射されて、（３）面２２１で反射されて、（４）ＤＭＤ４０Ｂで反射されて、（５）面２２１で反射されて、（６）面２２２で反射されて、（７）面２２１、面２５１を透過する。これによって、青成分光Ｂは、ＤＭＤ４０Ｂで変調されて、投写ユニット５０に導かれる。
【００７６】
赤成分光Ｒは、（１）面２１１で反射されて、（２）面２１２、面２２１、面２２２及び面２３１を透過した上で、面２３２で反射されて、（３）面２３１で反射されて、（４）ＤＭＤ４０Ｒで反射されて、（５）面２３１で反射されて、（６）面２３２で反射されて、（７）面２３１、面２３２、面２２１、面２１２、面２１１及び面２５１を透過する。これによって、赤成分光Ｒは、ＤＭＤ４０Ｒで変調されて、投写ユニット５０に導かれる。
【００７７】
緑成分光Ｇは、（１）面２１１で反射されて、（２）面２１２、面２２１、面２２２、面２３１、面２３２、面２４１を透過した上で、ＤＭＤ４０Ｇで反射されて、（３）面２４１、面２３２、面２３１、面２２２、面２２１、面２１２、面２１１及び面２５１を透過する。これによって、緑成分光Ｇは、ＤＭＤ４０Ｇで変調されて、投写ユニット５０に導かれる。
【００７８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７９】
実施形態では、光変調素子として、３つのＤＭＤが例示されているが、実施形態は、これに限定されるものではない。光変調素子は、１つのＤＭＤであってもよい。或いは、光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【００８０】
実施形態では、複数のミラー２４０は、ファスト軸及びスロー軸におけるエタンデューが揃うように複数の光源２１０から出射される光を調整する調整部を構成する。しかしながら、実施形態は、これに限定されるものではない。具体的には、ファスト軸及びスロー軸において光源装置から出射される光束の幅（全体の幅）が揃うように、光源装置に設けられる複数の光源２１０が配置されていてもよい。このようなケースにおいては、複数のミラー２４０が必ずしもシフトしていなくてもよい。すなわち、ファスト軸及びスロー軸におけるエタンデューが揃うように複数の光源２１０から出射される光を調整する調整部は、複数のミラー２４０の配置によって構成される。
【符号の説明】
【００８１】
１０…ダイクロイックミラー、２０…ダイクロイックミラー、３０…ロッドインテグレータ、４０…ＤＭＤ、５０…投写ユニット、１００…投写型映像表示装置、１１４〜１１６…レンズ、１２５…ミラー、２００…光源装置、２１０…光源、２１１…エミッタ、２２０…第１屈折光学素子、２３０…第２屈折光学素子、２４０…ミラー
【図１】
0005914808.tif 000006
【図２】
0005914808.tif 000007
【図３】
0005914808.tif 000008
【図４】
0005914808.tif 000009
【図５】
0005914808.tif 000010
【図６】
0005914808.tif 000011
【図７】
0005914808.tif 000012
【図８】
0005914808.tif 000013
【図９】
0005914808.tif 000014
【図１０】
0005914808.tif 000015
【図１１】
0005914808.tif 000016